(57)【特許請求の範囲】
【請求項１】
複数の車両または複数の自転車を複数の駐車空間に各々に置いて駐車させる駐車装置であって、
駐車空間を形成する柱材と梁材と該柱材と該梁材とで形成される矩形構造に斜めに渡される斜材とを有する主構造体と、
電動自転車に用いる電池である複数の自転車用電池を各々に充電する複数の充電機器と、
複数の車両または複数の自転車を駐車空間と入出庫のため運転手から車両または自転車を預かる空間である入出庫空間との間で各々に搬送できる搬送機器と、
電力を前記搬送機器と前記充電機器とへ給電できる電源機器と、
を備え、
複数の前記充電機器が前記入出庫空間で前記自転車用電池をセットされるように各々に設置され、
且つ、複数の前記充電機器が隣合う一対の前記柱材の前記入出庫空間を形成する箇所で挟まれる空間である設置空間の上から見て隣合う一対の前記柱材の間に設けられる前記斜材に重なる位置に設置される、
ことを特徴とする駐車装置。
【請求項２】
複数の車両または複数の自転車を各々に搭載して駐車空間に位置できる構造体である複数のパレットと、
を備え、
前記搬送機器が垂直方向に距離を離して配置される上下一対のスプロケットと上下一対の該スプロケットに掛け渡されるチェーンと該チェーンに所定のピッチで吊り下げられる複数のケージとを有し、上下一対の前記スプロケットが回転すると前記チェーンに沿って複数の前記ケージが循環軌道上を循環する様になり、
複数の前記パレットが複数の該ケージに各々に支持され、
駐車空間が前記ケージと前記パレットとで囲われて形成され、
前記入出庫空間が前記循環軌道の上端または下端のどちらか一方の側に形成され、
前記ケージが前記循環軌道上を循環する様子を正面から見たときに複数の前記充電機器が入出庫空間においてできる前記ケージの円弧状の軌跡と主構造体との間にできる空隙に配置される、
ことを特徴とする請求項１に記載の駐車装置。
【請求項３】
複数の車両または複数の自転車を複数の駐車空間に各々に置いて駐車させる駐車装置であって、
駐車空間を形成する柱材と梁材とを有する主構造体と、
電動自転車に用いる電池である複数の自転車用電池を各々に充電する複数の充電機器と、
複数の車両または複数の自転車を駐車空間と入出庫のため運転手から車両または自転車を預かる空間である入出庫空間との間で各々に搬送できる搬送機器と、
電力を前記搬送機器と前記充電機器とへ給電できる電源機器と、
複数の車両または複数の自転車を各々に搭載して駐車空間に位置できる構造体である複数のパレットと、
を備え、
前記搬送機器が垂直方向に距離を離して配置される上下一対のスプロケットと上下一対の該スプロケットに掛け渡されるチェーンと該チェーンに所定のピッチで吊り下げられる複数のケージとを有し、上下一対の前記スプロケットが回転すると前記チェーンに沿って複数の前記ケージが循環軌道上を循環する様になり、
前記パレットが複数の該ケージに各々に支持され、
駐車空間が前記ケージと前記パレットとで囲われて形成され、
前記入出庫空間が前記循環軌道の上端または下端のどちらか一方の端に形成され、
前記ケージが前記循環軌道上を循環する様子を正面から見たときに複数の前記充電機器が入出庫空間においてできる前記ケージの円弧状の軌跡と主構造体との間にできる空隙に配置され、
且つ、複数の前記充電機器が前記入出庫空間で前記自転車用電池をセットされるように各々に設置される、
ことを特徴とする駐車装置。
【発明の詳細な説明】
【技術分野】
【０００１】
本発明は、複数の車両を駐車させる駐車装置に係る。特に、車両の他に自転車を駐車させるのに適した駐車装置に関する。
【背景技術】
【０００２】
複数の車両を駐車させるのに駐車装置を用いることがある。
駐車装置は、車両を入出庫空間と駐車空間との間で移載させて駐車空間に駐車させる。
例えば、記載式駐車装置は、車両をパレットに乗せ、パレットを入出庫空間と駐車空間との間で移載させて駐車空間に駐車させる。
【０００３】
他方、自転車の利用が進んでいる。
特に電動自転車の利用が進んでいる。
しかし、都会では、自転車の駐輪場所が不足している。
【０００４】
そこで、駐車装置を自転車の駐輪場所として利用しようとすることが試みられている。
【発明の概要】
【発明が解決しようとする課題】
【０００５】
本発明は以上に述べた問題点に鑑み案出されたもので、車両の他に自転車を駐車させるのに便利な駐車装置を提供しようとする。
【課題を解決するための手段】
【０００６】
上記目的を達成するため、本発明に係る複数の車両または複数の自転車を複数の駐車空間に各々に置いて駐車させる駐車装置であって、駐車空間を形成する柱材と梁材とを有する主構造体と、電動自転車に用いる電池である複数の自転車用電池を各々に充電する複数の充電機器と、複数の車両または複数の自転車を駐車空間と入出庫のため運転手から車両または自転車を預かる空間である入出庫空間との間で各々に搬送できる搬送機器と、電力を前記搬送機器と前記充電機器とへ給電できる電源機器と、を備え、複数の前記充電機器が前記入出庫空間で前記自転車用電池をセットされるように各々に設置される、
、ものとした。
【０００７】
上記本発明の構成により、主構造体が、駐車空間を形成する柱材と梁材とを有する。複数の充電機器が、電動自転車に用いる電池である複数の自転車用電池を各々に充電する。搬送機器が、複数の車両または複数の自転車を駐車空間と入出庫のため運転手から車両または自転車を預かる空間である入出庫空間との間で各々に搬送できる。電源機器が、電力を前記搬送機器と前記充電機器とへ給電できる。複数の前記充電機器が前記入出庫空間で前記自転車用電池をセットされるように各々に設置される。
その結果、駐車装置を用いて自転車用電池を充電できる。
【０００８】
以下に、本発明の実施形態に係る駐車装置を説明する。本発明は、以下に記載した実施形態のいずれか、またはそれらの中の二つ以上が組み合わされた態様を含む。
【０００９】
本発明の実施形態に係る駐車装置は、複数の前記充電機器が隣合う一対の前記柱材の前記入出庫空間を形成する箇所で挟まれる空間である設置空間に設置される。
上記の実施形態の構成により、複数の前記充電機器が隣合う一対の前記柱材の前記入出庫空間を形成する箇所で挟まれる空間である設置空間に設置される。
その結果、隣合う一対の前記柱材で挟まれる入出庫空間で自動車用電池を充電できる。
【００１０】
本発明の実施形態に係る駐車装置は、複数の車両または複数の自転車を各々に搭載して駐車空間に位置できる構造体である複数のパレットと、を備え、前記搬送装置が垂直方向に距離を離して配置される上下一対のスプロケットと上下一対の該スプロケットに掛け渡されるチェーンと該チェーンに所定のピッチで吊り下げられる複数のケージとを有し、上下一対の前記スプロケットが回転すると前記チェーンに沿って複数の前記ケージが循環軌道上を循環する様になり、複数の前記パレットが複数の該ケージに各々に支持され、駐車空間が前記ケージと前記パレットとで囲われて形成され、前記入出庫空間が前記循環軌道の上端または下端のどちらか一方の端に形成され、前記ケージが前記循環軌道上を循環する様子を正面から見たときに複数の前記充電機器が入出庫空間において出来る前記ケージの円弧状の軌跡と主構造体との間にできる空隙に配置される。
上記の実施形態の構成により、複数のパレットは、複数の車両または複数の自転車を各々に搭載して駐車空間に位置できる構造体である。前記搬送装置が垂直方向に距離を離して配置される上下一対のスプロケットと上下一対の該スプロケットに掛け渡されるチェーンと該チェーンに所定のピッチで吊り下げられる複数のケージとを有する。上下一対の前記スプロケットが回転すると前記チェーンに沿って複数の前記ケージが循環軌道上を循環する様になる。複数の前記パレットが複数の該ケージに各々に支持される。駐車空間が前記ケージと前記パレットとで囲われて形成される。前記入出庫空間が前記循環軌道の上端または下端のどちらか一方の端に形成される。前記ケージが前記循環軌道上を循環する様子を正面から見たときに複数の前記充電機器が入出庫空間においてできる前記ケージの円弧状の軌跡と主構造体との間にできる空隙に配置される。
その結果、ケージに干渉しない空間で自転車用電池を充電できる。
【００１１】
本発明の実施形態に係る駐車装置は、前記電源機器が前記充電機器へ給電できる電力の総和の変化に応じて複数の前記充電機器のうちから給電する前記充電機器を選択し選択した前記充電機器に電力を給電する、
上記の実施形態の構成により、前記電源機器が前記充電機器へ給電できる電力の総和の変化に応じて複数の前記充電機器のうちから給電する前記充電機器を選択し選択した前記充電機器に電力を給電する。
その結果、駐車装置を駆動するために電源機器が前記充電機器へ給電できる電力が変動しても前記充電機器の電池への充電が適正に行われる。
【００１２】
本発明の実施形態に係る駐車装置は、電池を外した電気自転車を前記駐車空間に駐車させ、外した電池を前記充電機器に装着させる、
上記の実施形態の構成により、電池を外した電気自転車を前記駐車空間に駐車させる。
外した電池を前記充電機器に装着させる。
その結果、駐車装置に電動自転車と電動自転車から外した電池を預けることができる。
【発明の効果】
【００１３】
以上説明したように、本発明に係る駐車装置は、その構成により、以下の効果を有する。
主構造体の柱材と梁材とが駐車空間を形成し、駐車空間に位置できる複数のパレットが複数の車両または自転車を各々に搭載し、搬送機器が複数の車両または自転車を駐車空間と入出庫空間との間で搬送でき、前記電源機器が前記充電機器へ給電でき、複数の前記充電機器が前記入出庫空間で前記充電機器にセットできるように各々に設置される様にしたので、駐車装置を用いて入出庫空間で自転車用電池を充電できる。
また、複数の前記充電機器が隣合う一対の前記柱材で挟まれる空間である設置空間に設置される様にしたので、隣合う一対の前記柱材で挟まれる入出庫空間で自動車用電池を充電できる。
また、上下一対のスプロケットに掛け渡されるチェーンに所定のピッチで吊り下げられる掛け渡される複数のケージが複数のパレットを各々に支持し、前記ケージの前記循環軌道上を循環する様子を正面から見たときに複数の前記充電機器が入出庫空間においてできる前記ケージの円弧状の軌跡と主構造体との間にできる空隙に配置される様にしたので、ケージに干渉しない空間を利用して自転車用電池を充電できる。
また、前記電源機器が前記充電機器へ給電できる電力の総和の変化に応じて複数の前記充電機器のうちから給電する前記充電機器を選択し選択した前記充電機器に電力を給電する様にしたので、駐車装置を駆動するために電源機器が前記充電機器へ給電できる電力が変動しても前記充電機器の電池への充電が適正に行われる。
また、自転車用電池を外した電動自転車を駐車空間に駐車させ、外した自転車用電池を前記充電機器に装着させる様にしたので、駐車装置に電動自転車と電動自転車から外した電池を預けることができる。
従って、車両の他に自転車を駐車させるのに便利な駐車装置を提供できる。
【図面の簡単な説明】
【００１４】
【図１】本発明の第一の実施形態に係る駐車装置の斜視図である。
【図２】本発明の第一の実施形態に係る駐車装置の正面図である。
【図３】本発明の第一の実施形態に係る主構造体の正面図、側面図である。
【図４】本発明の第一の実施形態に係る駐車装置の部分拡大側面図である。
【図５】本発明の第一の実施形態に係る駐車装置の部分拡大平面図である。
【図６】本発明の第一の実施形態に係る充電機器の複数の形式の概念図である。
【図７】本発明の第二の実施形態に係る駐車装置の斜視図である。
【図８】本発明の第二の実施形態に係る駐車装置の部分拡大正面図である。
【図９】本発明の第二の実施形態に係る駐車装置の部分拡大正面図である。
【図１０】本発明の第二の実施形態に係る駐車装置の部分拡大平面図である。
【図１１】駐車装置の各種バリエーション図である。
【発明を実施するための形態】
【００１５】
以下、本発明を実施するための形態を、図面を参照して説明する。
本発明の実施形態にかかる駐車装置は、複数の車両５または複数の自転車６を複数の駐車空間に各々に置いて駐車させる装置である。
例えば、本発明の実施形態にかかる駐車装置は、複数の車両５を複数の駐車空間に各々に置いて駐車させる装置である。
例えば、本発明の実施形態にかかる駐車装置は、複数の自転車６を複数の駐車空間に各々に置いて駐車させる装置である。
例えば、本発明の実施形態にかかる駐車装置は、複数の車両５と複数の自転車６を複数の駐車空間に各々に置いて駐車させる装置である。
自転車は電動自転車を含む。
【００１６】
最初に、本発明の実施形態にかかる駐車装置を説明する。
【００１７】
本発明の実施形態にかかる駐車装置は、複数の車両５または複数の自転車６を複数の駐車空間７１に各々に置いて駐車させるものである。
本発明の実施形態にかかる駐車装置は、主構造体１０と複数の充電機器３０と搬送機器４０と電源機器５０とで構成される。
本発明の実施形態にかかる駐車装置は、主構造体１０と複数のパレット２０と複数の充電機器３０と搬送機器４０と電源機器５０とで構成されてもよい。
【００１８】
主構造体１０は、駐車空間を形成する柱材１１と梁材１２とを有する構造体である。
主構造体１０は、駐車空間を形成する柱材１１と梁材１２と斜材１３を有する構造体であってもよい。
図３は、主構造体の一例を示す。
４本の柱材１１が、上から見て４隅に起立する。
複数の梁材１２が上下方向に所定のピッチで並び、一対の柱材に両端を固定される。
斜材１３が、柱材１１と梁材１２とで形成される矩形構造に斜めに渡される。
【００１９】
複数のパレット２０は、複数の車両または複数の自転車を各々に搭載して駐車空間に位置できる構造体である。
パレット２０は、車両または自転車を搭載して駐車空間に位置できる。
例えば、パレット２０は、上から見て矩形の輪郭をもつ構造体である。
【００２０】
複数の充電機器３０は、電動自転車に用いる電池である複数の自転車用電池を各々に充電する機器である。
充電機器３０は、自転車用電池を充電する。
充電機器３０が、充電機器本体３１に自転車用電池を脱着できる挿入口３２を持つ。
例えば、充電機器３０が、充電機器本体３１の上面に自転車用電池を脱着できる挿入口３２を持つ。
自転車用電池７を挿入口３２に脱着できる。
自転車用電池７を挿入口３２に挿入した状態で、充電機器３０は、その自転車用電池７に充電できる。
【００２１】
搬送機器４０は、複数の車両または複数の自転車を駐車空間７１と入出庫空間７２との間で各々に搬送できる機器である。
搬送機器は、複数の車両または複数の自転車を駐車空間７１と入出庫空間７２との間で各々に搬送できる。
搬送機器４０は、複数のパレットを駐車空間７１と入出庫空間７２との間で各々に搬送できてもよい。
例えば、搬送機器は、複数のパレットを駐車空間７１と入出庫空間７２との間で各々に搬送できる。
ここで、入出庫空間７２は、入出庫のため運転手から車両５または自転車６を預かる空間である。
例えば、入出庫空間７２は、入出庫のため運転手が車両を乗り降りする空間である。
例えば、入出庫空間７２は、入出庫のため運転手が自転車を乗り捨てる空間である。
【００２２】
電源機器５０は、電力を搬送機器４０と充電機器３０とへ給電できる機器である。
【００２３】
複数の充電機器３０が、入出庫空間７２で自転車用電池をセットされる様に各々に設置される。
【００２４】
複数の充電機器３０が、隣合う一対の柱材の入出庫空間７２を形成する箇所で挟まれる空間である設置空間に設置されてもよい。
【００２５】
自転車用電池７を充電機器３０の挿入口３２に横方向に挿入可能になっていてもよい。
【００２６】
充電機器３０が、姿勢を挿入口３２を上に向ける姿勢である充電姿勢と挿入口３２を横方向に向ける姿勢である挿入姿勢との間で変化可能であってもよい。
充電機器３０が、姿勢を挿入口３２を上に向ける姿勢である充電姿勢と挿入口３２を横方向に向ける姿勢である挿入姿勢との間で揺動可能であってもよい。
例えば、充電機器の姿勢を挿入姿勢にするときに自動車用電池７を挿入口３２に挿入できる。
【００２７】
電源機器が充電機器へ給電できる電力の総和の変化に応じて複数の充電機器のうちから給電する充電機器を選択し選択した充電機器に電力を給電してもよい。
【００２８】
自転車用電池を外した電気自転車を駐車空間に駐車させ、外した自転車用電池を充電機器に装着させてもよい。
自転車用電池を外した電気自転車をパレットに搭載させ、外した自転車用電池を充電機器に装着させてもよい。
【００２９】
以下に、本発明の実施形態にかかる駐車装置を、駐車機構の形式毎に、詳述する。
【００３０】
本発明の第一の実施形態に係る駐車装置を、図を基に、説明する。
図１は、本発明の第一の実施形態に係る駐車装置の斜視図である。図２は、本発明の第一の実施形態に係る駐車装置の正面図である。図３は、本発明の第一の実施形態に係る主構造体の正面図、側面図である。図４は、本発明の第一の実施形態に係る駐車装置の部分拡大側面図である。図５は、本発明の第一の実施形態に係る駐車装置の部分拡大平面図である。図６は、本発明の第一の実施形態に係る充電機器の複数の形式の概念図である。
【００３１】
本発明の第一の実施形態にかかる駐車装置は、主構造体１０と複数のパレット２０と充電機器３０と搬送機器４０と電源機器５０とで構成されてもよい。
以下では、説明の便宜のため、パレットを用いるエレベータ方式の駐車装置に本願発明を適用したものを例に、説明する。
【００３２】
主構造体１０は、駐車空間を形成する柱材１１と梁材１２とを有する構造体である。
主構造体１０は、駐車空間を形成する柱材１１と梁材１２と斜材１３と駐車棚レール１４とを有する構造体でってもよい。
例えば、４本の柱材が駐車装置の四隅に配置され起立する。
複数の梁材１２が、高さ方向に所定のピッチで配され、端部を４本の柱材に固定される。
複数の斜材１３が、上下の梁材の間に配され、主構造体を補強する。
複数の駐車空間７１が、左右に分かれて、上下方向に配置する様に、形成される。
後述の複数のパレット２０が、複数の駐車空間７１に各々に支持される。
駐車棚レール１４が、駐車空間の下方に配される。
【００３３】
パレット２０は、車両５または自転車６を搭載して駐車空間７１に位置できる構造体である。
少なくとも１つのパレット２０は、複数の自転車６を搭載しても良い。
例えば、パレット２０は、パレット主構造体２１と４個の車輪２２とで構成されてもよい。
パレット主構造体２１は、上から見て略矩形の板構造体である。
パレット主構造体２１は、車両の左右の転動するタイヤを案内する左右１対の転動面を設けられる。
４個の車輪２２が、パレット主構造体２１の四隅に配され、矩形の短辺に沿った方向に転動してもよい。
２個で１対の車輪２２が、２本の駐車棚レール１４の上を各々に転動する。
例えば、パレット２０は、パレット主構造体２１の短辺を駐車棚レール１４の長手方向に沿うように、水平移動できる。
【００３４】
入出庫空間７２は、入出庫のため運転手から車両５または自転車６を預かる空間である。
入出庫空間７２は、入出庫のため運転手が車両を乗り降りする空間または自転車を乗り捨てる空間の一方であってもよい。。
例えば、車両５または自転車６は、入庫するための入出庫空間７２でパレット２０に乗り込み、または出庫するための入出庫空間７２でパレット２０から下りる。
エレベータ方式駐車機構では、例えば、入出庫空間７２は上下移動空間Ｈの真下に位置する。
エレベータ方式駐車機構では、例えば、入出庫空間７２は上下移動空間Ｈの真上に位置する。
エレベータ方式駐車機構では、例えば、入出庫空間７２は上下移動空間Ｈの中間に位置する。
【００３５】
駐車空間７１は、車両５または自転車６を置いて駐車させる空間である。
例えば、車両５を乗せたパレット２０が駐車空間７１に置かれて、車両５を駐車させる。
例えば、自転車６を乗せたパレット２０が駐車空間７１に置かれて、車両５を駐車させる。
図２は、複数の左右１対の駐車空間７１が、上下移動空間Ｈの左右に上下に並んで多段に配される様子を示す。
車両５または自転車６を乗せたパレット２０を駐車棚レール１４に乗せることにより、車両５または自転車６を駐車空間７１で駐車させる。
例えば、後述する搬送機器４０が駐車空間７１に位置するパレット２０の短辺に沿った方向に並んだ駐車空間７１の横の空間に停留できる。パレット２０は、パレットの短辺に沿った方向に水平移動して、駐車空間７１の横に停留したケージ４１と駐車空間７１との間で水平移動できる。この場合、パレット２０の短辺に沿った方向が移載方向に相当する。
【００３６】
充電機器３０は、電動自転車６に用いる自転車用電池を充電する機器である。
充電機器３０は、充電機器本体３１に自転車用電池を挿入する挿入口３２を持っていてもよい。
自転車用電池７を電動自転車６から外して、外した自転車用電池７を充電機器３０に装着する。
充電機器３０が、装着された自転車用電池７に電源機器から給電される電力を充電する。
充電が完了すると、自転車様電池７を充電機器３０から外し、自転車様電池７を自転車に取り付ける。
【００３７】
搬送機器４０は、複数のパレット２０を駐車空間７１と入出庫空間７２との間で各々に搬送できる機器である。
例えば、搬送装置４０は、ケージ４１と巻上げ機器４２と移載機器４３である。
ケージ４１は、上下移動空間Ｈをワイヤにより上下移動自在に吊られた構造体である。
パレット２０がケージ４１に乗せらる。
巻上げ機器４２は、ケージ４１を吊るワイヤを巻上げまたは巻き下げる機器である。
巻上げ機器４２は、電源機器５０から電力を給電される。
巻上げ機器４２が、ワイヤを巻上げまたは巻き下げして、ケージ４１を駐車空間７１の横に移動させる。車両５を乗せたパレット２０が、複数の駐車空間７１の内の任意の駐車空間７１の横に位置する。
【００３８】
移載機器４３は、駐車空間７１の横に停留するケージ４１と駐車空間７１との間でパレット２０を所定の移載方向に水平移動させて移載できる装置である。
移載機器４３は、駐車空間７１の横に停留するケージ４１から駐車空間７１へパレット２０を所定の移載方向に水平移動させて、パレット２０を駐車空間７１に乗せる。
移載機器４３は、駐車空間７１から駐車空間７１の横に停留するケージ４１へパレット２０を所定の移載方向に水平移動させて、パレット２０をケージ４１に乗せる。
図１は、移載機器４３がケージ４１の上部に固定される様子を示している。
例えば、移載機器４３は先端をパレット２０に係合できる回転レバーを持つ。回転レバーを回転させると、パレット２０を駐車空間７１の横に停留するケージ４１と駐車空間７１との間で移送方向に水平移動できる。
移載機器４３が、駐車空間７１の横に停留するケージ４１と駐車空間７１との間でパレット２０を所定の左右方向に水平移動させて移載する。
【００３９】
電源機器５０は、電力を搬送装置４０と充電機器３０とへ給電できる機器である。
例えば、電源機器５０は、電源盤５１と第一電源ケーブル５２と第二電源ケーブル５３とで構成される。
商用電源が、電源盤５１に接続される。
電源盤５１は、第一電源ケーブル５２を介して搬送装置４０へ電力を給電する。
電源盤５１は、第二電源ケーブル５３を介して充電機器３０へ電力を給電する。
【００４０】
複数の充電機器３０が、入出庫空間７２で自転車用電池７をセットされるように各々に設置される。
【００４１】
複数の充電機器３０が、隣合う一対の柱材１１の入出庫空間７２を形成する箇所で挟まれる空間である設置空間に設置されてもよい。
図４、図５は、複数の充電機器３０が、隣合う一対の柱材１１の入出庫空間７２を形成する箇所で挟まれる空間である設置空間に設置される様子を示す。
【００４２】
充電機器３０は、自転車用電池７を脱着できる挿入口３２を持つ。
充電機器３０は、自転車用電池７を充電機器の挿入口３２に上下方向に挿入可能になっていてもよい。
図６は、充電機器３０が自転車用電池７を充電機器の挿入口３２に上下方向に挿入可能になっている様子を示す。
【００４３】
充電機器３０は、自転車用電池を充電機器の挿入口に横方向に挿入可能になっていてもよい。
【００４４】
充電機器３０は、姿勢を挿入口３２を上に向ける姿勢である充電姿勢と挿入口３２を横方向に向ける姿勢である挿入姿勢との間で揺動可能であってもよい。
充電機器３０は、充電機器３０の姿勢を挿入姿勢にするときに、自動車用電池７を挿入口３２に挿入できてもよい。
【００４５】
本発明の第一の実施形態にかかる駐車装置の作用を説明する。
説明の便宜のため、電動アシスト自転車を駐車させる場合を例に説明する。
（入庫工程）
電動自転車６を駐車装置の前に置く。
入出庫空間７２にあるゲートが開くと、電動自転車６を入出庫空間におかれるパレット２０に乗せる。
自転車用電池７を電動自転車６から抜く。
自転車用電池７を充電機器３０の挿入口３２へ挿入する。
ゲートを閉めて、電動自転車６を搭載するパレット２０を駐車空間に移送させる。
【００４６】
（充電工程）
電源機器５０が充電機器３０へ給電できる電力の総和の変化に応じて複数の充電機器３０のうちから給電する充電機器３０を選択し選択した充電機器３０に電力を給電する。
電源機器５０が充電機器３０へ給電できる電力の総和が十分にあるときは、電源機器５０が全ての充電機器３０に電力を給電する。
または、搬送機器４０が駆動されないときに、電源機器５０が充電機器３０に電力を給電する。搬送機器４０が駆動されるときに、電源機器５０が充電機器３０に電力を給電しない。
【００４７】
（出庫工程）
搬送機器４０が、電動自転車６を搭載したパレット２０を駐車空間７１から入出庫空間７２へ搬送する。
自転車用電池７を充電機器３０の挿入口３２から引き抜く。
入出庫空間７２に位置するパレット２０から電動自転車６を降ろす。
自転車用電池７を電動自転車６に取り付ける。
電動自転車６に乗って去る。
【００４８】
次に、本発明の第二の実施形態にかかる駐車装置を、図を基に、説明する。
図７は、本発明の第二の実施形態に係る駐車装置の斜視図である。図８は、本発明の第二の実施形態に係る駐車装置の部分拡大正面図である。図９は、本発明の第二の実施形態に係る駐車装置の部分拡大正面図である。図１０は、本発明の第二の実施形態に係る駐車装置の部分拡大平面図である。
第二の実施形態にかかる駐車装置は、いわゆるパレットを用いるメリーゴーランド式の駐車装置に本願にかかる発明を適用したものである。
【００４９】
本発明の第二の実施形態にかかる駐車装置は、主構造体１０と複数のパレット２０と充電機器３０と搬送機器４０と電源機器５０と構成される。
【００５０】
主構造体１０と充電機器３０と電源機器５０との構成は、第一の実施形態にかかる駐車装置のものと同じなので、説明を省略する。
【００５１】
パレット２０は、パレット２０は、車両５または自転車６を搭載して駐車空間７１に位置できる構造体である。
少なくとも１つのパレット２０は、複数の自転車６を搭載しても良い。
例えば、パレット２０は、パレット主構造体２１で構成されてもよい。
パレット主構造体２１は、上から見て略矩形の板構造体である。
パレット主構造体２１は、後述するケージ４６に支持される。
【００５２】
駐車空間７１は、パレット２０を駐車のために各々に置くことをできる空間である。
例えば、車両５または電動自転車６を乗せたパレット２０が駐車空間７１に置かれて、車両５を駐車させる。
図７は、複数の左右１対の駐車空間７１が、循環経路に沿って配される様子を示す。
【００５３】
搬送機器４０は、入出庫空間７２と駐車空間７１との間でパレット２０を乗せて搬送できる。
搬送機器４０は、上下一対のスプロケット４４とチェーン４５と複数のケージ４６とで構成される。
上下一対のスプロケット４４は、垂直方向に距離を離して配置される。
チェーン４５は、上下一対の該スプロケットに掛け渡される。
複数のケージ４６は、チェーンに所定のピッチで吊り下げられる。
上下一対のスプロケットが回転するとチェーンに沿って複数のケージ４６が循環軌道上を循環する。
複数のパレット２０が複数の該ケージ４６に各々に支持される。
駐車空間７１が、ケージ４６とパレット２０とで囲われて形成される。
入出庫空間７２は、入出庫のため運転手から車両５または自転車６を預かる空間である
入出庫空間７２が、循環軌道Ｑの上端または下端のどちらか一方の端に形成される。
【００５４】
複数の充電機器３０が入出庫空間７２で自転車用電池をセットされるように各々に設置される、
【００５５】
ケージ４６が循環軌道Ｇ上を循環する様子を正面から見たときに、複数の充電機器３０が入出庫空間７２において出来るケージ４６の円弧状の軌跡と主構造体１０との間にできる空隙に配置される。
図８に、ケージ４６が循環軌道Ｇ上を循環する様子を正面から見たときに、複数の充電機器３０が入出庫空間７２において出来るケージ４６の円弧状の軌跡と主構造体１０との間にできる空隙に配置される様子が示される。
【００５６】
さらに、複数の充電機器３０が隣合う一対の柱材１１の入出庫空間７２を形成する箇所で挟まれる空間である設置空間に設置されてもよい。
【００５７】
第二の実施形態にかかる駐車装置の作用は、第一の実施形態にかかる駐車装置の作用と同じなので、説明を省略する。
【００５８】
また、本発明の実施形態に係る駐車装置は、その構成により、以下の効果を有する。
主構造体１０の柱材１１と梁材１２とが駐車空間７１を形成し、駐車空間７１に位置できる複数のパレット２０が複数の車両５または自転車６を各々に搭載し、搬送機器４０が複数のパレット２０を駐車空間７１と入出庫空間７２との間で搬送でき、電源機器５０が電力を充電機器３０へ給電でき、複数の充電機器３０が入出庫空間７２で充電機器３０にセットできるように各々に設置される様にしたので、駐車装置を用いて入出庫空間７２で自転車用電池７を充電できる。
また、複数の充電機器３０が隣合う一対の柱材１１で挟まれる空間である設置空間に設置される様にしたので、隣合う一対の柱材１１で挟まれる入出庫空間で自動車用電池を充電できる。
また、上下一対のスプロケット４４に掛け渡されるチェーン４５に所定のピッチで吊り下げられる複数のケージ４６が複数のパレット２０を各々に支持し、ケージ４６の循環軌道上を循環する様子を正面から見たときに複数の充電機器３０が入出庫空間７３においてできるケージ４６の円弧状の軌跡と主構造体１０との間にできる空隙に配置される様にしたので、ケージ４６に干渉しない空間を利用して自転車用電池７を充電できる。
また、自転車用電池７を充電機器３０の挿入口に横方向に挿入可能になる様にしたので、狭い空間を利用して充電機器３０で自転車用電池７に充電できる。
また、自転車用電池７を充電機器の挿入口に横方向に挿入可能になり、充電機器３０を揺動して姿勢を充電姿勢と挿入姿勢との間で変化できる様にしたので、狭い空間を利用して充電機器３０で自転車用電池７に充電できる。
また、電源機器５０が充電機器３０へ給電できる電力の総和の変化に応じて複数の充電機器３０のうちから給電する充電機器３０を選択し選択した充電機器３０に電力を給電する様にしたので、駐車装置を駆動するために電源機器５０が充電機器３０へ給電できる電力が変動しても充電機器の電池への充電が適正に行われる。
また、自転車用電池７を外した電動自転車６をパレットに搭載させて、外した自転車用電池７を充電機器３０に装着させる様にしたので、駐車装置に電動自転車と電動自転車から外した電池を預けることができる。
【００５９】
本発明は以上に述べた実施形態に限られるものではなく、発明の要旨を逸脱しない範囲で各種の変更が可能である。
説明では電動自転車６を駐車装置に駐車させる場合を例に説明したが、これに限定されない。例えば、電動自転車６または自転車を駐車装置に駐車させない場合もある。
例えば、自転車は別個の駐輪場に駐車させてもよい。
また、駐車装置は、車両に充電をしてもよい。
【符号の説明】
【００６０】
Ｈ  上下移動空間
Ｑ  循環軌道
５  車両
６  自転車
７  電池
１０  主構造体
１１  柱材
１２  梁材
１３  斜材
１４  駐車棚レール
２０  パレット
２１  パレット主構造体
２２  車輪
３０  充電機器
３１  充電機器本体
３２  挿入口
４０  搬送機器
４１  ケージ
４２  巻上げ機器
４３  移載機構
４４  スプロケット
４５  チェーン
４６  ケージ
５０  電源機器
５１  電源盤
５２  第一電源ケーブル
５３  第二電源ケーブル
７１  駐車空間
７２  入出庫空間
【先行技術文献】
【特許文献】
【００６１】
【特許文献１】特開２０１２−２４１３５９号
【図１】
0006703395.tif 000002
【図２】
0006703395.tif 000003
【図３】
0006703395.tif 000004
【図４】
0006703395.tif 000005
【図５】
0006703395.tif 000006
【図６】
0006703395.tif 000007
【図７】
0006703395.tif 000008
【図８】
0006703395.tif 000009
【図９】
0006703395.tif 000010
【図１０】
0006703395.tif 000011
【図１１】
0006703395.tif 000012